(57)【要約】【課題】従来のアクセス解析ツールにより生成されるデータ（数字の羅列）からWEBサイトの状態を把握するためには十分な知識や経験を有する者が不可欠であり、さらにデータ（数字の羅列）から資料を作成するには手間と時間の負担が大きい。【解決手段】上記課題を解決するために本システム「Arest」は、ASP型アクセス解析ツールからデータを取得することにより分析レポートを自動生成し、解析データをわかりやすいグラフで表示することにより専門的な知識や経験がなくてもWEBサイトのアクセス状態を十分理解できるようにする。【選択図】  図１
2012022525.tif 000002
【特許請求の範囲】
【請求項１】
ASP（Application Service Providerの略。一般にインターネットを通じてアプリケーションソフトを顧客にレンタルする事業者あるいはサービスを指す。）型アクセス解析ツールから分析レポートを自動生成するWEBシステム。
【請求項２】
前記WEBシステム内においてASP型アクセス解析ツールからデータを取得することによりサイトの傾向分析として「集客力」（ブランド想起度、リピート集客力、検索集客力）と「誘導力」（全体誘導力、トップページ誘導力、コンテンツ深度）の要素に分けた六角形のレーダーチャートにグラフ化することを特徴とする請求項１記載のWEBシステム。
【請求項３】
前記WEBシステム内においてASP型アクセス解析ツールからデータを取得することによりサイト内の閲覧状況を「総ページビュー数」「訪問者数」「サイト全体の誘導率」「1人が閲覧したページ数」「ゴール（ゴール：特定のページへ訪問者が到達すること）への貢献度」の各項目で表示することを特徴とする請求項１記載のWEBシステム。
【請求項４】
前記WEBシステム内においてASP型アクセス解析ツールからデータを取得することにより集客の概要を「新規訪問者」「リピーター」「ノーリファラー」「検索エンジン」「参照サイト」の各項目で表示することを特徴とする請求項１記載のWEBシステム。
【請求項５】
前記WEBシステム内においてASP型アクセス解析ツールからデータを取得することにより集客の概要を「集客ルート」「入口ページ」「トップページ直帰率（直帰：１ページだけ見てサイトから離脱すること）」「全体直帰率」の各項目でグラフ化することを特徴とする請求項１記載のWEBシステム。
【請求項６】
前記WEBシステム内においてASP型アクセス解析ツールからデータを取得することにより集客の概要を「主な外部サイト」「主な入口ページ」の各項目のグラフ化及び各項目の上位１０件を一覧化することを特徴とする請求項１記載のWEBシステム。
【請求項７】
前記WEBシステム内においてASP型アクセス解析ツールからデータを取得することにより集客の概要を解析開始からの成長性として「総ページビュー数と訪問者の推移」「検索訪問率・TOP入口率・TOP直帰率・全体直帰率の推移」の各項目でグラフ化及び一覧化することを特徴とする請求項１記載のWEBシステム。
【請求項８】
前記WEBシステム内においてASP型アクセス解析ツールからデータを取得することにより集客の概要を多く見られたページの上位１００位までのページを横軸に「閲覧回数」縦軸に「離脱率」とするポートフォリオ化すること及び一覧化することを特徴とする請求項１記載のWEBシステム。
【請求項９】
前記WEBシステム内においてASP型アクセス解析ツールからデータを取得することによりゴール解析として「検索フレーズのゴール貢献」を一覧化することを特徴とする請求項１記載のWEBシステム。
【請求項１０】
前記WEBシステム内においてASP型アクセス解析ツールからデータを取得することによりゴール解析として「注目キーワードのゴール貢献」を「集客力」と「貢献度」のポートフォリオでグラフ化し、さらに「ゴール貢献が高い優良ワード」「集客力アップが効果的なチャンスワード」「ゴール貢献しないワード」「集客力は高いが貢献しない要注意ワード」の各項目を一覧化することを特徴とする請求項１記載のWEBシステム。
【請求項１１】
前記WEBシステム内においてASP型アクセス解析ツールからデータを取得することによりゴール解析として「入口ページのゴール貢献」を一覧化することを特徴とする請求項１記載のWEBシステム。
【請求項１２】
前記WEBシステム内においてASP型アクセス解析ツールからデータを取得することによりゴール解析として「注目入口ページのゴール貢献」を集客力」と「貢献度」のポートフォリオでグラフ化し、さらに「ゴール貢献が高い優良入口ページ」「集客力アップが効果的なチャンスページ」「ゴール貢献しないページ」「集客力は高いが貢献しない要注意ページ」の各項目を一覧化  することを特徴とする請求項１記載のWEBシステム。
【請求項１３】
前記WEBシステム内においてASP型アクセス解析ツールからデータを取得することによりゴール解析として「新規獲得率」「コンバージョン率」の高いキーワードを一覧化することを特徴とする請求項１記載のWEBシステム。
【請求項１４】
前記WEBシステム内においてASP型アクセス解析ツールからデータを取得することにより入口ページ解析として「直帰率」「集客力」からなる「成長戦略ポートフォリオ（入口上位５０ページ）」をグラフ化することを特徴とする請求項１記載のWEBシステム。
【請求項１５】
前記WEBシステム内においてASP型アクセス解析ツールからデータを取得することにより入口ページ解析として対策緊急度の高い入口ページを一覧化することを特徴とする請求項１記載のWEBシステム。
【請求項１６】
前記WEBシステム内においてASP型アクセス解析ツールからデータを取得することにより入口ページ解析として貢献度の高い入口ページを一覧化することを特徴とする請求項１記載のWEBシステム。
【請求項１７】
前記WEBシステム内においてASP型アクセス解析ツールからデータを取得することにより入口ページ解析として成長戦略の対象とすべき入口ページを一覧化することを特徴とする請求項１記載のWEBシステム。
【請求項１８】
前記WEBシステム内においてASP型アクセス解析ツールからデータを取得することにより入口ページ解析として対策緊急度のやや高い入口ページを一覧化することを特徴とする請求項１記載のWEBシステム。
【請求項１９】
前記WEBシステム内においてASP型アクセス解析ツールからデータを取得することにより検索フレーズ解析として「検索からの集客ニーズ」を上位５０位まで一覧化することを特徴とする請求項１記載のWEBシステム。
【請求項２０】
前記WEBシステム内において作成した分析レポートに対して独自のコメントを追加することが出来、その分析レポートをPDFにて保存することが出来ることを特徴とする請求項１記載のWEBシステム。
【発明の詳細な説明】
【技術分野】
【０００１】
本発明は、インターネットにおけるWEBシステムに関する。
【背景技術】
【０００２】
アクセス解析ツールとしては既に数十社にも及ぶ企業が、ASP型・インストール型・ハードウェア型で有償無償にてサービスを展開しております。しかしながらそれらのサービスは主にデータからの数値の羅列で表示されており、十分な知識や経験を有する必要がある。
【発明の開示】
【発明が解決しようとする課題】
【０００３】
従来のアクセス解析ツールにより生成されるデータ（数字の羅列）からWEBサイトのアクセス状態を把握するためには十分な知識や経験を有する者が不可欠であり、さらにデータ（数字の羅列）から資料を作成するには手間と時間の負担が大きい。
【課題を解決するための手段】
【０００４】
上記課題を解決するために本システム「Arest」は、ASP型アクセス解析ツールからデータを取得することにより分析レポートを自動生成し、解析データをわかりやすいグラフで表示することにより専門的な知識や経験がなくてもWEBサイトのアクセス状態を十分理解できるようにする。
【発明の効果】
【０００５】
今までWEBサイトのアクセス解析を把握するために必要であった知識や経験がなくてもWEBサイトのアクセス解析を把握でき、従来のアクセス解析ツールにより生成されていたデータ（数字の羅列）から資料を作成するより手間と時間を大幅に短縮することが出来る。
【図面の簡単な説明】
【０００６】
【図１】実施例１の図である。
【図２】実施例２の図である。
【発明を実施するための形態】
【０００７】
ブラウザはInternet Explorer 7.0あるいは8.0（ともにマイクロソフト社登録商標）が望ましい。
以下、本発明の実施の形態として実施例を図１に基づいて説明する。
【実施例１】
【０００８】
図１において、１、ASP型アクセス解析ツールにて情報を登録。２、サーバ（HP領域）よりASP型アクセス解析ツールにてアクセスログデータを取得。３、Arestにて情報を登録。４、ASP型アクセス解析ツールよりArestにてアクセス解析データを取得。５、Arestにてアクセス解析データをレポート化。６、Arestから解析レポートを取得（閲覧又はPDF化）。
【実施例２】
【０００９】
図２において、１、ASP型アクセス解析ツールにて情報を登録。２、サーバ（HP領域）よりASP型アクセス解析ツールにてアクセスログデータを取得。３、ASP型アクセス解析ツールよりアクセス解析データを取得。４、Arestにて情報を登録後、アクセス解析データをArestにアップロードする。５、Arestにてアクセス解析データをレポート化。６、Arestから解析レポートを取得（閲覧又はPDF化）。
【図１】
2012022525.tif 000003
【図２】
2012022525.tif 000004